【手続補正書】
【提出日】平成16年9月10日(2004.9.10)
【手続補正１】
【補正対象書類名】明細書
【補正対象項目名】発明の名称
【補正方法】変更
【補正の内容】
【発明の名称】テレビジョン放送処理装置、テレビジョン放送処理システム、及びコンピュータプログラム
【手続補正２】
【補正対象書類名】明細書
【補正対象項目名】特許請求の範囲
【補正方法】変更
【補正の内容】
【特許請求の範囲】
【請求項１】
所定の送信速度で送信されたテレビジョン放送データを受信して処理するテレビジョン放送処理装置であって、
上記テレビジョン放送により上記所定の送信速度よりも高速に複数回繰り返し送信される番組のデータを受信する受信手段と、
上記受信手段により受信された番組のデータを記憶手段に格納しながら再生する再生手段とを備えることを特徴とするテレビジョン放送処理装置。
【請求項２】
上記再生手段は、上記テレビジョン放送データに含まれる所定情報により、上記テレビジョン放送データに含まれる特定の番組のデータが複数回繰り返し高速送信されると判断した場合に、当該データを記憶手段に格納しながら再生することを特徴とする請求項１記載のテレビジョン放送処理装置。
【請求項３】
上記再生手段は、上記テレビジョン放送データの送信速度により、上記テレビジョン放送データに含まれる特定の番組のデータが複数回繰り返し高速送信されると判断した場合に、当該データを記憶手段に格納しながら再生することを特徴とする請求項１記載のテレビジョン放送処理装置。
【請求項４】
上記特定の番組のデータが複数回繰り返し高速送信されることに関する情報を提示する提示手段を備えることを特徴とする請求項２又は３記載のテレビジョン放送処理装置。
【請求項５】
上記所定情報は、上記テレビジョン放送データに多重化されるＰＳＩ（番組サービス情報）に付加された情報を含むことを特徴とする請求項２記載のテレビジョン放送処理装置。
【請求項６】
上記所定情報は、上記ＰＳＩで規定されているＮＩＴ（Ｎｅｔｗｏｒｋ  Ｉｎｆｏｍａｔｉｏｎ  Ｔａｂｌｅ）のサービスリスト記述子内のサービスタイプに新たなサービスタイプとして反映された情報を含むことを特徴とする請求項５記載のテレビジョン放送処理装置。
【請求項７】
上記所定情報は、上記ＰＳＩで規定されているＥＩＴ（Ｅｖｅｎｔ  Ｉｎｆｏｍａｔｉｏｎ  Ｔａｂｌｅ）の矩形イベント記述子の番組説明部分に反映された情報を含むことを特徴とする請求項５記載のテレビジョン放送処理装置。
【請求項８】
上記受信手段は、ＳＤ（標準精細度）の番組、及び／又はＨＤ（高精細度）の番組を送信する帯域幅で送信された上記テレビジョン放送データを受信することを特徴とする請求項１記載のテレビジョン放送処理装置。
【請求項９】
上記再生手段は、上記所定の送信速度で送信されたテレビジョン放送データをバッファリング後直ちに再生することを特徴とする請求項１記載のテレビジョン放送処理装置。
【請求項１０】
上記再生手段は、上記テレビジョン放送データに含まれる番組のデータに対して、フレームデータの先頭を示すアダプテーションフィールドの検出結果により、当該番組のデータが複数回繰り返し高速送信されたか否かを判断することを特徴とする請求項３記載のテレビジョン放送処理装置。
【請求項１１】
上記再生手段は、上記テレビジョン放送データに含まれる番組のデータに対して、１フレームデータを単位長とするＰＥＳヘッダの検出結果により、当該チャンネル及び／又は番組のデータが複数回繰り返し高速送信されたか否かを判断することを特徴とする請求項３記載のテレビジョン放送処理装置。
【請求項１２】
上記再生手段は、任意の外部指示タイミングの次回の高速送信が開始されるタイミングで、当該高速送信され上記受信手段で受信されたテレビジョン放送データに含まれる番組のデータを、上記記憶手段に格納しながら再生することを特徴とする請求項１記載のテレビジョン放送処理装置。
【請求項１３】
複数の機器が互いに通信可能に接続されてなるテレビジョン放送処理システムであって、
上記複数の機器のうち少なくとも１つの機器は、請求項１〜１２の何れか１項に記載のテレビジョン放送処理装置の機能を有することを特徴とするテレビジョン放送処理システム。
【請求項１４】
請求項１〜１２の何れか１項に記載のテレビジョン放送処理装置の機能、又は請求項１３記載のテレビジョン放送処理システムの機能をコンピュータに実現させることを特徴とするコンピュータプログラム。
【手続補正３】
【補正対象書類名】明細書
【補正対象項目名】０００１
【補正方法】変更
【補正の内容】
【０００１】
【発明の属する技術分野】
例えば、テレビジョン放送を受信して蓄積し（録画）、これを再生する装置或いはシステムに用いられる、テレビジョン放送処理装置、テレビジョン放送処理システム、及びそれらを実施するためのコンピュータプログラムに関するものである。
【手続補正４】
【補正対象書類名】明細書
【補正対象項目名】０００６
【補正方法】変更
【補正の内容】
【０００６】
そこで、本発明は、上記の欠点を除去するために成されたもので、既に番組が放送開始されてしまった状況であっても、その番組を最初から全て視聴することを可能なように構成することで、ユーザが常に所望する番組を満足して視聴することができるようにすることを目的とする。
【手続補正５】
【補正対象書類名】明細書
【補正対象項目名】０００７
【補正方法】変更
【補正の内容】
【０００７】
【課題を解決するための手段】
斯かる目的下において、本発明のテレビジョン放送処理装置は、所定の送信速度で送信されたテレビジョン放送データを受信して処理するテレビジョン放送処理装置であって、上記テレビジョン放送により上記所定の送信速度よりも高速に複数回繰り返し送信される番組のデータを受信する受信手段と、上記受信手段により受信された番組のデータを記憶手段に格納しながら再生する再生手段とを備えることを特徴とする。
【手続補正６】
【補正対象書類名】明細書
【補正対象項目名】０００８
【補正方法】変更
【補正の内容】
【０００８】
本発明のテレビジョン放送処理システムは、複数の機器が互いに通信可能に接続されてなるテレビジョン放送処理システムであって、上記複数の機器のうち少なくとも１つの機器は、上記記載のテレビジョン放送処理装置の機能を有することを特徴とする。
【手続補正７】
【補正対象書類名】明細書
【補正対象項目名】０００９
【補正方法】変更
【補正の内容】
【０００９】
本発明によるコンピュータプログラムは、上記記載のテレビジョン放送処理装置の機能、又は上記記載のテレビジョン放送処理システムの機能をコンピュータに実現させることを特徴とするコンピュータプログラム。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】削除
【補正の内容】
【手続補正３２】
【補正対象書類名】明細書
【補正対象項目名】００３４
【補正方法】削除
【補正の内容】
【手続補正３３】
【補正対象書類名】明細書
【補正対象項目名】００３５
【補正方法】削除
【補正の内容】
【手続補正３４】
【補正対象書類名】明細書
【補正対象項目名】００３６
【補正方法】削除
【補正の内容】
【手続補正３５】
【補正対象書類名】明細書
【補正対象項目名】００３７
【補正方法】削除
【補正の内容】